(57)【要約】向上した性能を有するタンデム加速器及びイオン注入機を開示する。タンデム加速器は、複数の入力電極と、複数の出力電極と、それらの間に配置された高電圧端子とを含む。高電圧端子は除去管を含む。中性分子が除去管に注入され、中性分子は流入する負のイオンビームから電子を取り除く。その結果として生じた正のイオンは、複数の出力電極の方へ加速される。除去管を出る望ましくない正のイオンの量を低減するために、バイアス電極は、除去管の入り口と出口に配置される。バイアス電極は、端子に印加される第１の電圧より大きい第２の電圧でバイアスを受ける。バイアス電極は、ゆっくり動く正のイオンをはね返し、それらが除去管を出てワークピース及び出力電極の品質劣化をすることを防止する。
2017527080.tif 000002
【特許請求の範囲】
【請求項１】
複数の入力電極と、
複数の出力電極と、
前記複数の入力電極の最内部の電極と前記複数の出力電極の最内部の電極との間に配置され、第１の電圧でバイアスを受ける、端子と、
該端子内に配置され、前記複数の入力電極の近くの入り口と、前記複数の出力電極の近くの出口と、除去ガスの導入のための注入管路とを有する、除去管と、
該除去管の前記出口と前記複数の出力電極の前記最内部の電極との間に配置される、第１のバイアス電極とを備え、
該第１のバイアス電極は、前記第１の電圧よりもっと正の多い第２の電圧でバイアスを受ける、
タンデム加速器。
【請求項２】
前記第１のバイアス電極は前記端子内に配置される、請求項１記載のタンデム加速器。
【請求項３】
前記第１のバイアス電極は前記端子の外側に配置される、請求項１記載のタンデム加速器。
【請求項４】
前記複数の入力電極の最外部の電極は接地され、各隣接する入力電極は前の入力電極よりもっと正が多くバイアスを受け、前記複数の入力電極の前記最内部の電極は最も正が多くバイアスを受け、
前記複数の出力電極の最外部の電極は接地され、各隣接する出力電極は次の出力電極よりもっと正が少なくバイアスを受け、前記複数の出力電極の前記最内部の電極は最も正が多くバイアスを受ける、請求項１記載のタンデム加速器。
【請求項５】
前記複数の入力電極の各々は隣接する入力電極に抵抗器を介して結合され、前記複数の入力電極の前記最内部の電極は前記端子に結合され、
前記複数の出力電極の各々は隣接する出力電極に抵抗器を介して結合され、前記複数の出力電極の前記最内部の電極は前記端子に結合される、請求項４記載のタンデム加速器。
【請求項６】
前記第２の電圧を前記第１のバイアス電極へ供給する電源を、さらに備える、請求項１記載のタンデム加速器。
【請求項７】
前記電源は前記端子に関連される、請求項６記載のタンデム加速器。
【請求項８】
前記第２の電圧は前記第１の電圧より１００〜２０００ボルト大きい、請求項１記載のタンデム加速器。
【請求項９】
前記除去管の前記入り口と前記複数の入力電極の前記最内部の電極との間に配置され、前記第２の電圧でバイアスを受ける、第２のバイアス電極を、さらに備える、請求項１記載のタンデム加速器。
【請求項１０】
複数の入力電極と、
複数の出力電極と、
前記複数の入力電極の最内部の電極と前記複数の出力電極の最内部の電極との間に配置され、第１の電圧でバイアスを受ける、端子と、
該端子内に配置され、前記複数の入力電極の近くの入り口と、前記複数の出力電極の近くの出口と、除去ガスの導入のための注入管路とを有する、除去管とを備え、
前記複数の出力電極の前記最内部の電極は、前記第１の電圧よりもっと正の多い第２の電圧でバイアスを受ける、
タンデム加速器。
【請求項１１】
前記複数の入力電極の前記最内部の電極は、前記第２の電圧でバイアスを受ける、請求項１０記載のタンデム加速器。
【請求項１２】
前記複数の入力電極の最外部の電極は接地され、各隣接する入力電極は前の入力電極よりもっと正が多くバイアスを受け、前記複数の入力電極の前記最内部の電極は最も正が多くバイアスを受け、
前記複数の出力電極の最外部の電極は接地され、各隣接する出力電極は次の出力電極よりもっと正が少なくバイアスを受け、前記複数の出力電極の前記最内部の電極は最も正が多くバイアスを受ける、請求項１１記載のタンデム加速器。
【請求項１３】
前記第２の電圧を供給する電源を、さらに備え、
前記複数の入力電極の各々は隣接する入力電極に抵抗器を介して結合され、前記複数の入力電極の前記最内部の電極は前記電源に結合され、
前記複数の出力電極の各々は隣接する出力電極に抵抗器を介して結合され、前記複数の出力電極の前記最内部の電極は前記電源に結合される、請求項１２記載のタンデム加速器。
【請求項１４】
前記第２の電圧は前記第１の電圧より１００〜２０００ボルト大きい、請求項１０記載のタンデム加速器。
【請求項１５】
負のイオンビーム源と、
該負のイオンビーム源からの負のイオンビームを正のイオンビームに変換するタンデム加速器と、を備えるイオン注入システムであって、
前記タンデム加速器は、
複数の入力電極と、
複数の出力電極と、
前記複数の入力電極の最内部の電極と前記複数の出力電極の最内部の電極との間に配置され、第１の電圧でバイアスを受ける、端子と、
該端子内に配置され、前記複数の入力電極の近くの入り口と、前記複数の出力電極の近くの出口と、除去ガスの導入のための注入管路とを有する、除去管と、
該除去管の前記出口と前記複数の出力電極の前記最内部の電極との間に配置される、第１のバイアス電極とを備え、
該第１のバイアス電極は、前記第１の電圧よりもっと正の多い第２の電圧でバイアスを受ける、
イオン注入システム
【発明の詳細な説明】
【優先権主張】
【０００１】
本出願は２０１４年８月２６日に出願された米国特許出願第１４／４６９，０５０号の優先権を主張するものであり、その開示内容は参照することにより本明細書に組み込まれる。
【技術分野】
【０００２】
本発明の実施態様はタンデム加速器及びタンデム加速器を用いるイオン注入システムに関する。
【背景技術】
【０００３】
タンデム加速器は、半導体ワークピースであることが多いターゲットの方へ、イオンを加速するために使用される。タンデム加速器は、イオンビームを２回加速するために、そのように名付けられる。タンデム加速器は、次第にもっと正の多い電圧でバイアスを受けた複数の入力電極及び次第にもっと正の少ない電圧でバイアスを受けた複数の出力電極を含み、これらの２つの複数の電極の間に配置されて正のバイアスを受けた端子を有する。
【０００４】
加速されたイオンビームを創生するために、負のイオンビームが正の端子の方へ加速される。この負のイオンビームは端子で電子を取り除かれて正のイオンビームになる。正のイオンビームは、次いで、正の端子から離れてもっと正の少ない出力電極の方へ加速される。
【０００５】
負のイオンビームから電子を取り除くために、負のイオンビームは除去管に入る。中性分子も除去管に供給される。負のイオンビームが中性分子を通過する時に、電子は負のイオンビームから取り除かれて、負のイオンビームは正のイオンビームに変換される。これらの正のイオンは、次いで、正の端子からもっと負の多い出力電極の方へ引き付けられる。
【発明の概要】
【発明が解決しようとする課題】
【０００６】
理想的には、元の負のイオンから創生された正のイオンのみが、タンデム加速器を通過する。しかしながら、場合によっては、中性分子からの正のイオンなどの他のイオンもタンデム加速器を通過する。これらの望ましくないイオンは、ワークピースの品質を落とし得て、イオン注入プロセスの収率を低減し得る。
【０００７】
したがって、望ましくないイオンを導入することなく、高エネルギーイオンビームを創生するための向上したタンデム加速器があることが有益である。
【課題を解決するための手段】
【０００８】
向上した性能を有するタンデム加速器及びイオン注入機を開示する。タンデム加速器は、複数の入力電極と、複数の出力電極と、それらの間に配置された高電圧端子とを含む。高電圧端子は除去管を含む。中性分子が除去管に注入され、中性分子は流入する負のイオンビームから電子を取り除く。その結果として生じた正のイオンは、複数の出力電極の方へ加速される。除去管を出る望ましくない正のイオンの量を低減するために、バイアス電極は、除去管の入り口と出口に配置される。バイアス電極は、端子に印加される第１の電圧より大きい第２の電圧でバイアスを受ける。バイアス電極は、ゆっくり動く正のイオンをはね返し、それらが除去管を出てワークピース及び出力電極の品質劣化をすることを防止する。
【０００９】
一実施態様においてタンデム加速器を開示する。タンデム加速器は、複数の入力電極と、複数の出力電極と、前記複数の入力電極の最内部の電極と前記複数の出力電極の最内部の電極との間に配置され、第１の電圧でバイアスを受ける、端子と、該端子内に配置され、前記複数の入力電極の近くの入り口と、前記複数の出力電極の近くの出口と、除去ガスの導入のための注入管路とを有する、除去管と、該除去管の前記出口と前記複数の出力電極の前記最内部の電極との間に配置される、第１のバイアス電極とを備え、該第１のバイアス電極は、前記第１の電圧よりもっと正の多い第２の電圧でバイアスを受ける。
【００１０】
別の実施態様においてタンデム加速器を開示する。タンデム加速器は、複数の入力電極と、複数の出力電極と、前記複数の入力電極の最内部の電極と前記複数の出力電極の最内部の電極との間に配置され、第１の電圧でバイアスを受ける、端子と、該端子内に配置され、前記複数の入力電極の近くの入り口と、前記複数の出力電極の近くの出口と、除去ガスの導入のための注入管路とを有する、除去管とを備え、前記複数の出力電極の前記最内部の電極は、前記第１の電圧よりもっと正の多い第２の電圧でバイアスを受ける。
【００１１】
別の実施態様においてイオン注入システムを開示する。イオン注入システムは、負のイオンビーム源と、該負のイオンビーム源からの負のイオンビームを正のイオンビームに変換するタンデム加速器と、を備えるイオン注入システムであって、前記タンデム加速器は、複数の入力電極と、複数の出力電極と、前記複数の入力電極の最内部の電極と前記複数の出力電極の最内部の電極との間に配置され、第１の電圧でバイアスを受ける、端子と、該端子内に配置され、前記複数の入力電極の近くの入り口と、前記複数の出力電極の近くの出口と、除去ガスの導入のための注入管路とを有する、除去管と、該除去管の前記出口と前記複数の出力電極の前記最内部の電極との間に配置される、第１のバイアス電極とを備え、該第１のバイアス電極は、前記第１の電圧よりもっと正の多い第２の電圧でバイアスを受ける。
【００１２】
本発明の理解を容易にするために、参照により本明細書に組み込まれる添付図面を参照して説明する。
【図面の簡単な説明】
【００１３】
【図１】タンデム加速器の第１の実施形態を示す。
【図２】タンデム加速器の第２の実施形態を示す。
【図３】タンデム加速器の第３の実施形態を示す。
【図４】タンデム加速器の第４の実施形態を示す。
【図５】前記実施形態のいずれかによるタンデム加速器を用いるイオン注入システムを示す。
【発明を実施するための形態】
【００１４】
向上したタンデム加速器及び向上したタンデム加速器を用いるイオン注入システムが開示される。向上したタンデム加速器は、除去管からの望ましくない正のイオンの通過を抑止し又は低減する。バイアス電極は、除去管の出口と複数の出力電極の間に配置される。正のバイアスを受けた電極は、高速イオンの通過に影響を与えることなく、低速で動く正のイオンの通過を抑止し又は低減し、ワークピースの品質劣化をより少なくする。
【００１５】
図１はタンデム加速器１００の第１の実施形態を示す。タンデム加速器１００は複数の入力電極２０を備える。これらの入力電極２０は、チタン又は他の金属などの任意の適切な導電性材料であり得る。入力電極２０の各々は、次第にもっと正の多い電圧でバイアスを受ける。最外部の入力電極２０ａは、接地することができる。それに続く入力電極の各々（すなわち、第２の入力電極２０ｂ、第３の入力電極２０ｃ及び最内部の入力電極２０ｄ）は、例えば１ＭΩを超える抵抗を有するような抵抗器２３を介して、前の入力電極に接続される。もちろん、入力電極２０の数は、４又は任意の他の特定の数に限定されない。いくつかの実施形態において、入力電極２０の数は２０以上にすることができる。
【００１６】
端子３０に最も近い最内部の入力電極２０ｄは、抵抗器２３を介して、端子３０にも接続することができる。抵抗器２３の全てが等しい抵抗を有する場合、各入力電極２０の電圧は増大する大きさを有し、隣接する入力電極２０間の電圧の増加は一定である。例えば、端子３０が４ＭＶなどの第１の電圧に対しバイアスを受け、４つの入力電極２０を用いる場合、最外部の入力電極２０ａの電圧は０Ｖである。第２の入力電極２０ｂは１ＭＶでバイアスを受け、第３の入力電極２０ｃは２ＭＶでバイアスを受ける。最内部の入力電極２０ｄは３ＭＶでバイアスを受ける。さらに、上記の例は、全ての抵抗器２３の抵抗は同一であると仮定しているが、本発明は本実施形態に限定されない。抵抗器２３は各々異なる抵抗を有しても良いし、又、同一の抵抗を有しても良い。さらに、上記の例は、４ＭＶの第１の電圧を開示しているが、他の電圧を用いることはでき、本発明は任意の特定の電圧に限定されない。
【００１７】
いくつかの実施形態において、入力電極２０の各々のアパーチャのサイズは、変化する。いくつかの実施形態において、アパーチャは、各入力電極２０で次第により小さくなり、端子３０に至る。例えば、最外部の入力電極２０ａは最も広いアパーチャを有することができ、一方、最内部の入力電極２０ｄは最も小さいアパーチャを有することができる。最外部の入力電極２０ａと最内部の入力電極２０ｄとの間の入力電極（すなわち、第２の入力電極２０ｂ及び第３の入力電極２０ｃ）のアパーチャは、次第により小さくなることができる。
【００１８】
入力電極２０のアパーチャは、端子３０内に配置された除去管４０に至る。端子３０及び除去管４０は、最外部の入力電極２０ａに対し正のバイアスを受ける。いくつかの実施形態において、端子３０及び除去管４０は、入力電極２０の全てに対し正のバイアスを受ける。例えば、最外部の入力電極２０ａは接地することができ、一方、端子３０は、例えば、数百万ボルトになり得る第１の電圧に対しバイアスを受ける。除去管４０は、端子３０と同じ電圧でバイアスを受けることができる。言い換えれば、除去管４０も第１の電圧でバイアスを受ける。除去管４０は、除去ガスが注入される注入管路４１も含む。除去ガスは中性分子を含むことができる。これらの中性分子は、限定されないが、アルゴン及び窒素などの任意の適切な種であり得る。除去管４０は、複数の入力電極２０と同じ側に配設された入り口４２を有する。除去管４０の出口４３は、複数の出力電極２５と連通している。
【００１９】
複数の出力電極２５は、入力電極２０の鏡像とすることができ、出力電極２５のアパーチャは、端子３０から離れるにつれてより大きくなる。例えば、最内部の出力電極２５ｄは最も小さいアパーチャを有することができる。隣接する出力電極（すなわち、第２の出力電極２５ｃ及び第３の出力電極２５ｂ）のアパーチャは、次第により大きくなることができ、一方、最外部の出力電極２５ａは最も大きいアパーチャを有することができる。これらの出力電極２５は、チタン又は他の金属などの任意の適切な導電性材料であり得る。
【００２０】
出力電極２５は、一連の抵抗器２８を介して電気的に接続することもできる。上述のように、最内部の出力電極２５ｄは、抵抗器２８を介して端子３０に接続することができる。各隣接する出力電極２５は、抵抗器により、前の出力電極に接続することができる。最外部の出力電極２５ａは接地することができる。このように、各出力電極２５は、端子３０から離れるにつれて次第により正の電圧が少なくなる。
【００２１】
いくつかの実施形態において、タンデム加速器１００は鋼鉄から作ることができるハウジング（図示せず）内に収納することができる。ガラスであり得る絶縁体（図示せず）は、電極間のアーク放電を防ぐために、電極の各々の間に配置することができる。絶縁体は、イオンビームが通過するタンデム加速器の領域に真空を創生させるのにも役立つことができる。SF6などの絶縁ガスは、ハウジング内に収容することもできる。
【００２２】
端子３０内に配置されるのは、バイアス電極６０ａ，６０ｂである。これらのバイアス電極６０ａ，６０ｂは、除去管４０の入り口４２及び出口４３の近くに、それぞれ、配置される。これらのバイアス電極６０ａ，６０ｂは、電源８０によるなどして、端子３０に対して正のバイアスを受ける。言い換えれば、バイアス電極６０ａ，６０ｂは、端子３０がバイアスを受ける第１の電圧より大きい（すなわち、もっと正の多い）第２の電圧でバイアスを受けることができる。いくつかの実施形態において、他の電圧を用いることができるけれども、第２の電圧は第１の電圧より大きい約１００〜２０００ボルトにすることができる。いくつかの実施形態において、電源８０は端子３０に関連している。
【００２３】
タンデム加速器１００は以下のように動作する。所望の種の負のイオンビーム１０が創生される。この負のイオンビーム１０は、多くの方法で生成することができる。一実施形態において、正のイオンビームは、ベルナス（Bernas）イオン源又はIHCイオン源を用いるなどの従来の方法で創生することができる。イオン源から出る正のイオンビームは、正のイオンビームを負のイオンビーム１０に変換するMg電荷交換電池に結合させることができる。もちろん、負のイオンビーム１０の生成のための他の機構は、当技術分野で周知である。負のイオンビーム１０の創生のために用いる機構は、本開示により限定されない。
【００２４】
所望の種の負のイオンビーム１０は、タンデム加速器１００の方へ向けられる。負のイオンビーム１０は、タンデム加速器１００の中へ、かつ、正のバイアスを受けた端子３０の方へ、引き付けられる。
【００２５】
負のイオンビーム１０が入力電極２０のアパーチャを通過する時に、入力電極２０は次第にもっと正の多い電圧でバイアスを受けるので、負のイオンは速度を増す。
【００２６】
これらの非常に速く動く負のイオンは、除去管４０の入り口４２に入り、その中の中性分子と衝突する。これらの中性分子は、負のイオンビーム１０から電子を除去するのに役立ち、所望の種の正のイオンを創生する。
【００２７】
所望の種のこれらの正のイオンは、次いで、次第にもっと正の少ない電圧でバイアスを受けた出力電極２５により、除去管４０の出口４３から引き出されて、正のイオンビーム５０を形成する。したがって、最初は、入力電極２０を通過する負のイオンビーム１０として、次いで、出力電極２５を通過する正のイオンビーム５０として、イオンは２回加速される。
【００２８】
理想的には、負のイオンビーム１０を形成する所望の種のみが、正のイオンに変換されて、出力電極２５を介して加速される。しかしながら、他の種も正のイオンに変換されることができ、出力電極２５を介して加速されることができる。
【００２９】
例えば、いくつかの実施形態では、除去ガス内の中性分子は、正電荷を持つようになり、出力電極２５を介して加速される。例えば、除去ガスはアルゴンであってもよい。負のイオンビーム１０がアルゴン分子に衝突する場合、Ar+などの望ましくないアルゴンイオンが形成され得る。さらに、いくつかの実施形態では、絶縁ガスの分子は、除去管４０に漏出することができ、負のイオンビーム１０との衝突により正電荷を持つようになり、出力電極２５を介して加速される。絶縁ガスがSF6の場合、追加の望ましくないイオンは、S+及びF+であり得る。さらに、除去管４０が黒鉛の場合、望ましくないC+イオンは、一次イオンビームスパッタリングから除去管４０内に作り出され得る。これらの望ましくない正のイオンは、除去管４０内に創出され得て、正のイオンビーム５０の部分として出力電極２５により引き出され得る。これらの他の種は、望ましくなく、イオン注入の品質及び収率に影響を与え得る。また、場合によっては、これらの望ましくない種は、出力電極２５に衝突し又は突き当たり、出力電極２５の汚染を引き起こす。
【００３０】
これらの望ましくない正のイオンは、典型的に、望ましい種のより速く動くイオンより、もっとよりゆっくり動く。したがって、バイアス電極６０ａ，６０ｂの使用により、これらの望ましくない正のイオンを除去管４０内に封じ込めることができる。上述のように、これらのバイアス電極６０ａ，６０ｂは、端子３０及び除去管４０に対して、正のバイアスを受けている。したがって、それらは、除去管４０からのゆっくり動く正のイオンを除去管４０の中へ戻すようにはね返しやすい。バイアス電極６０ａ，６０ｂは導電性であり、黒鉛又は他の金属とすることができる。
【００３１】
しかしながら、バイアス電極６０ａ，６０ｂに加えられる第２の電圧の第１の電圧に対する大きさは、小さくすることができ、負のイオンビーム１０から発生された望ましい種のより速く動く正のイオンを、遅くしはね返すには効果がないようにすることができる。しかしながら、第２の電圧と第１の電圧との間のこの正の電圧の差は、除去ガスの分子から、又は、絶縁ガスの分子から創生された正の電荷イオンなどのゆっくり動く正のイオンをはね返すには十分である。
【００３２】
バイアス電極６０ａ，６０ｂに加えられる第２の電圧は、第１の電圧より数百ボルト又は数千ボルト大きくすることができる。例えば、一実施形態において、本発明は任意の特定の値に限定されないけれども、第１の電圧は７５０kVにすることができ、一方、第２の電圧は第１の電圧より１４０ボルト大きくすることができる。いくつかの実施形態において、第１の電圧と第２の電圧との間の差の第１の電圧と比べて（すなわち、１４０Vの７５０kVと比べて）の比率は、０．１％より小さくすることができる。他の実施形態において、この比率は、０．０５％より小さくすることができる。さらに他の実施形態において、この比率は、０．０２％より小さくすることができる。上述のように、除去ガスの分子又は絶縁ガスの分子から創生されたゆっくり動く正のイオンを抑制し、望ましい種の速く動く正のイオンの通過を抑制しない、任意の第２の電圧を用いることができる。
【００３３】
本実施形態において、これらのバイアス電極６０ａ，６０ｂは、端子３０内で除去管４０の入り口４２及び出口４３の近くに配設される。それらは、少し正の多い第２の電圧で保持されるので、それらは、相隔たっているか、あるいは、除去管４０及び端子３０から絶縁されている。電源８０は、端子３０に関連することができ、従来の電源であってもよいし、蓄電池であってもよいし、又は、他の電源であってもよい。
【００３４】
図２は、タンデム加速器２００の第２の実施形態を示す。本実施形態において、全ての同様の構成部品は、同一の参照番号が与えられており、再び説明はしない。それ故に、図２は図１の実施形態に関連して解釈すべきである。本実施形態において、バイアス電極７０ａ，７０ｂは、端子３０の外側に配置される。これらのバイアス電極７０ａ，７０ｂは、端子３０と最内部の入力電極２０ｄとの間、及び、端子３０と最内部の出力電極２５ｄとの間に、それぞれ配置される。バイアス電極７０ａ，７０ｂは、電源８０によるような端子３０の第１の電圧より大きい、第２の電圧でバイアスを受ける。バイアス電極７０ａ，７０ｂは、最内部の入力電極２０ｄ、最内部の出力電極２５ｄ及び端子３０から分離されているか、あるいは、絶縁されている。前の実施形態と同様に、バイアス電極７０ａは最内部の入力電極２０ｄと除去管４０の入り口４２との間に配置される。バイアス電極７０ｂは、最内部の出力電極２５ｄと除去管４０の出口４３との間に配置される。
【００３５】
図３は、タンデム加速器３００の別の実施形態を示す。このタンデム加速器３００は、単一のバイアス電極７０のみが端子３０の出口側に配置されることを除いて、図２のタンデム加速器２００と同一である。望ましくないイオンが出力電極２５を通って通過することにより、収率及び品質の低減に導くかもしれないために、いくつかの実施形態において、端子３０の入り口側のバイアス電極を除去することができる。なお、所望の場合、図１の実施形態は、バイアス電極６０ｂのみを端子３０の出口側に含むように変更することができる。
【００３６】
図１〜３の実施形態は全てタンデム加速器を含み、タンデム加速器は、次第にもっと正の多い電圧でバイアスを受けた複数の入力電極２０、次第にもっと正の少ない電圧でバイアスを受けた複数の出力電極２５、及び、これらの２つの複数の電極の間に配置されて第１の電圧でバイアスを受けた端子３０を有する。各実施形態において、除去管４０は端子３０内に配置され、第１のバイアス電極は除去管４０の出口４３と最内部の出力電極２５ｄとの間に配置される。いくつかの実施形態において、第１のバイアス電極は端子３０内に配置され（図１を参照）、一方、他の実施形態において、第１のバイアス電極は端子３０の外側に配置される（図２、３を参照）。第１のバイアス電極は第２の電圧でバイアスを受け、第２の電圧は、ゆっくり動く正のイオンを除去管４０の中へ戻すようにはね返すのに、端子３０に印加される第１の電圧より、もっと正が多い。
【００３７】
いくつかの実施形態では、第２のバイアス電極は除去管４０の入り口４２と最内部の入力電極２０ｄとの間に配置される。いくつかの実施形態において、第２のバイアス電極は端子３０内に配置され（図１を参照）、一方、他の実施形態において、第２のバイアス電極は端子３０の外側に配置される（図２を参照）。第２のバイアス電極は第２の電圧でバイアスを受けることもでき、第２の電圧は、ゆっくり動く正のイオンを除去管４０の中へ戻すようにはね返すのに、端子３０に印加される第１の電圧より、もっと正が多い。
【００３８】
図４は別の実施形態を示す。本実施形態では、タンデム加速器４００は、図１〜３で示したような別個のバイアス電極を含まない。むしろ、最内部の出力電極２５ｄは第２の電圧でバイアスを受け、第２の電圧は、電源８０を用いるなどで端子３０に印加される第１の電圧より、もっと正が多い。このように、最内部の出力電極２５ｄは、前の実施形態の第１のバイアス電極と同じ機能を果たす。いくつかの実施形態では、最内部の入力電極２０ｄは、端子３０より、もっと正が多い電圧で同様にバイアスを受けることができる。他の実施形態では、最内部の入力電極２０ｄは、抵抗器２３を介して端子３０に結合することができる（図３を参照）。
【００３９】
図４に示す実施形態は、最内部の出力電極２５ｄ及び最内部の入力電極２０ｄを電源８０の出力に結合することにより、創生することができ、前の実施形態で行ったように、端子３０を電源８０の出力に結合することはしない。
【００４０】
図４に示す実施形態では、第２の出力電極２５ｃは、抵抗器２８を介して端子３０に電気的に結合される。同様に、第３の入力電極２０ｃは、抵抗器２３を介して端子３０に電気的に結合される。
【００４１】
別の実施形態では、第２の出力電極２５ｃは、抵抗器を介するなどで最内部の出力電極２５ｄに電気的に結合される。この抵抗器は、他の出力電極（すなわち、第３の出力電極２５ｂ及び最外部の出力電極２５ａ）を結合するために用いられる抵抗器２８の値とは異なる値にすることができる。他の実施形態では、この抵抗器は同じ値にすることができる。これらの実施形態において、最内部の出力電極２５ｄは、端子３０に印加される第１の電圧より大きい第２の電圧であるけれども、第２の出力電極２５ｃ、第３の出力電極２５ｂ及び最外部の出力電極２５ａは、各々、端子３０より正の少ない電圧である。
【００４２】
最内部の出力電極２５ｄ及び選択的に最内部の入力電極２０ｄは、次いで、ゆっくり動く正のイオンを端子３０の方へ戻すようにはね返すのに役立つ。したがって、本実施形態では、タンデム加速器４００は、次第にもっと正の多い電圧でバイアスを受けた複数の入力電極２０、次第にもっと正の少ない電圧でバイアスを受けた複数の出力電極２５、及び、これらの２つの複数の電極の間に配置されて第１の電圧でバイアスを受けた端子３０を備える。除去管４０は端子３０内に配置される。本実施形態では、少なくとも最内部の出力電極２５ｄは、第１の電圧より、もっと正が多い第２の電圧でバイアスを受ける。
【００４３】
したがって、前の実施形態のように、本実施形態は、除去管４０の出口４３の近くに配置された最内部の出力電極２５ｄを含み、最内部の出力電極２５ｄは、端子３０に印加される第１の電圧より、もっと正が多い第２の電圧でバイアスを受ける。さらに、いくつかの実施形態では、最内部の入力電極２０ｄは、除去管４０の入り口４２の近くに配置され、第２の電圧でバイアスも受ける。
【００４４】
本明細書で説明される任意のタンデム加速器は、イオン注入システムの構成部品として用いることができる。図５は、前記実施形態のいずれかによるタンデム加速器を含む代表的イオン注入システムを示す。
【００４５】
イオン注入システムは、負のイオンビームを発生するために用いられる負のイオンビーム源５００を備える。上述のように、これは、正のイオンビームを発生するために用いられる従来のイオン源であり得て、Mg交換電池がイオン源の出力に結合される。負のイオンビーム源５００の出力は、質量分析器５１０に向けることができ、質量分析器５１０は特定のイオン種の通過を可能とするだけである。質量分析器５１０を出るイオンは、タンデム加速器５２０の方へ向けられ、タンデム加速器５２０で１組の入力電極により端子の方へ加速される。このタンデム加速器５２０は、図１〜４で説明した任意の実施形態であり得る。これらの実施形態の各々において、端子内に配置された除去管の中で、電子は負のイオンビームから除去され、正のイオンビームは出力電極によりタンデム加速器５２０から加速される。正のイオンビームは、次いで、フィルター５３０の方へ向けることができ、フィルター５３０は特定の電荷のみのイオンの通過を可能にする。他の実施形態では、フィルターを用いないようにすることができる。フィルター５３０の出力は、スキャナー及びコリメータ５４０を通過することができ、スキャナー及びコリメータ５４０は、イオンの所望の種を含む最終イオンビームを創生するのに役立つ。スキャナー及びコリメータの出力は、次いで、ワークピース５５０の方へ向けられる。
【００４６】
本明細書で説明されるタンデム加速器及びイオン注入システムは、タンデム加速器から出る不必要なイオンの数を低減することができる。上述のように、除去ガス又は絶縁ガスから形成される不必要な正のイオンは、ワークピース又は出力電極の品質を落とし得る。これは、ＣＭＯＳイメージセンサーなどに形成されるデバイスの製造量を低減し得て、又は、タンデム加速器の性能にマイナスの影響を及ぼし得る。除去管の出口にバイアス電極を導入することにより、（典型的に除去ガス又は絶縁ガスから形成される）よりゆっくりと動くイオンをはね返すことができ、除去管の中に封じ込めることができ、一方、望ましいイオンを加速し出力電極の方へ向ける。
【００４７】
本発明は本明細書に記載された特定の実施形態によって範囲を限定されるものではない。実際に、本明細書に記載された実施形態に加えて、本発明の他の様々な実施形態および変更例が前述の記載および添付図面から当業者には明らかであろう。したがって、このような他の実施形態および変更例は、本発明の範囲内に含まれることを意図している。さらに、本発明は、特定の目的のための、特定の環境における、特定の実施形態の文脈で本明細書に記載されているが、その有用性は特定の実施形態に限定されるものでなく、本発明は多くの目的のために多くの環境で有益に実装し得ることは当業者に認識されよう。従って、以下に記載する特許請求の範囲は、本明細書に記載された本発明の全範囲及び精神に鑑みて解釈されるべきものである。
【図１】
2017527080.tif 000003
【図２】
2017527080.tif 000004
【図３】
2017527080.tif 000005
【図４】
2017527080.tif 000006
【図５】
2017527080.tif 000007
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
複数の入力電極と、
複数の出力電極と、
前記複数の入力電極の最内部の電極と前記複数の出力電極の最内部の電極との間に配置され、第１の電圧でバイアスを受ける、端子と、
該端子内に配置され、前記複数の入力電極の近くの入り口と、前記複数の出力電極の近くの出口と、除去ガスの導入のための注入管路とを有する、除去管と、
該除去管の前記出口と前記複数の出力電極の前記最内部の電極との間に配置される、第１のバイアス電極とを備え、
該第１のバイアス電極は、前記第１の電圧よりもっと正の多い第２の電圧でバイアスを受ける、
タンデム加速器。
【請求項２】
前記第１のバイアス電極は前記端子内に配置される、請求項１記載のタンデム加速器。
【請求項３】
前記第１のバイアス電極は前記端子の外側に配置される、請求項１記載のタンデム加速器。
【請求項４】
前記複数の入力電極の最外部の電極は接地され、各隣接する入力電極は前の入力電極よりもっと正が多くバイアスを受け、前記複数の入力電極の前記最内部の電極は最も正が多くバイアスを受け、
前記複数の出力電極の最外部の電極は接地され、各隣接する出力電極は次の出力電極よりもっと正が少なくバイアスを受け、前記複数の出力電極の前記最内部の電極は最も正が多くバイアスを受ける、請求項１記載のタンデム加速器。
【請求項５】
前記複数の入力電極の各々は前記隣接する入力電極に抵抗器を介して結合され、前記複数の入力電極の前記最内部の電極は前記端子に結合され、
前記複数の出力電極の各々は前記隣接する出力電極に抵抗器を介して結合され、前記複数の出力電極の前記最内部の電極は前記端子に結合される、請求項４記載のタンデム加速器。
【請求項６】
前記第２の電圧を前記第１のバイアス電極へ供給する電源を、さらに備える、請求項１記載のタンデム加速器。
【請求項７】
前記電源は前記端子に関連される、請求項６記載のタンデム加速器。
【請求項８】
前記第２の電圧は前記第１の電圧より１００〜２０００ボルト大きい、請求項１記載のタンデム加速器。
【請求項９】
前記除去管の前記入り口と前記複数の入力電極の前記最内部の電極との間に配置され、前記第２の電圧でバイアスを受ける、第２のバイアス電極を、さらに備える、請求項１記載のタンデム加速器。
【請求項１０】
複数の入力電極と、
複数の出力電極と、
前記複数の入力電極の最内部の電極と前記複数の出力電極の最内部の電極との間に配置され、第１の電圧でバイアスを受ける、端子と、
該端子内に配置され、前記複数の入力電極の近くの入り口と、前記複数の出力電極の近くの出口と、除去ガスの導入のための注入管路とを有する、除去管とを備え、
前記複数の出力電極の前記最内部の電極は、前記第１の電圧よりもっと正の多い第２の電圧でバイアスを受ける、
タンデム加速器。
【請求項１１】
前記複数の入力電極の前記最内部の電極は、前記第２の電圧でバイアスを受ける、請求項１０記載のタンデム加速器。
【請求項１２】
前記複数の入力電極の最外部の電極は接地され、各隣接する入力電極は前の入力電極よりもっと正が多くバイアスを受け、前記複数の入力電極の前記最内部の電極は最も正が多くバイアスを受け、
前記複数の出力電極の最外部の電極は接地され、各隣接する出力電極は次の出力電極よりもっと正が少なくバイアスを受け、前記複数の出力電極の前記最内部の電極は最も正が多くバイアスを受ける、請求項１１記載のタンデム加速器。
【請求項１３】
前記第２の電圧を供給する電源を、さらに備え、
前記複数の入力電極の各々は前記隣接する入力電極に抵抗器を介して結合され、前記複数の入力電極の前記最内部の電極は前記電源に結合され、
前記複数の出力電極の各々は前記隣接する出力電極に抵抗器を介して結合され、前記複数の出力電極の前記最内部の電極は前記電源に結合される、請求項１２記載のタンデム加速器。
【請求項１４】
前記第２の電圧は前記第１の電圧より１００〜２０００ボルト大きい、請求項１０記載のタンデム加速器。
【請求項１５】
負のイオンビーム源と、
該負のイオンビーム源からの負のイオンビームを正のイオンビームに変換するタンデム加速器と、を備えるイオン注入システムであって、
前記タンデム加速器は、
複数の入力電極と、
複数の出力電極と、
前記複数の入力電極の最内部の電極と前記複数の出力電極の最内部の電極との間に配置され、第１の電圧でバイアスを受ける、端子と、
該端子内に配置され、前記複数の入力電極の近くの入り口と、前記複数の出力電極の近くの出口と、除去ガスの導入のための注入管路とを有する、除去管と、
該除去管の前記出口と前記複数の出力電極の前記最内部の電極との間に配置される、第１のバイアス電極とを備え、
該第１のバイアス電極は、前記第１の電圧よりもっと正の多い第２の電圧でバイアスを受ける、
イオン注入システム。
【請求項１６】
前記負のイオンビーム源と前記タンデム加速器との間に配置される、質量分析器をさらに備える、請求項１５記載のイオン注入システム。
【請求項１７】
前記タンデム加速器の出力に配置される、スキャナー及びコリメータをさらに備え、前記スキャナー及び前記コリメータの出力はワークピースの方へ向けられる、請求項１５記載のイオン注入システム。
【手続補正３】
【補正対象書類名】明細書
【補正対象項目名】０００８
【補正方法】変更
【補正の内容】
【０００８】
向上した性能を有するタンデム加速器及びイオン注入機を開示する。タンデム加速器は、複数の入力電極と、複数の出力電極と、それらの間に配置された高電圧端子とを含む。高電圧端子は除去管を含む。中性分子が除去管に注入され、中性分子は流入する負のイオンビームから電子を取り除く。その結果として生じた正のイオンは、複数の出力電極の方へ加速される。除去管を出る望ましくない正のイオンの量を低減するために、バイアス電極は、除去管の入り口と出口に配置される。バイアス電極は、端子に印加される第１の電圧より大きい第２の電圧でバイアスを受ける。バイアス電極は、ゆっくり動く正のイオンをはね返し、それらが除去管を出てワークピースの品質劣化をすることを防止する。
【国際調査報告】
2017527080.tif 000008
2017527080.tif 000009